(57)【要約】【課題】用済み後の空の製品梱包箱を後刻の再梱包に備え一時的に保管し、または資源ごみとして再流通させる場合に大型の状態では取り扱いが煩雑であるため、該空箱のコンパクト化手段を提供する。【解決手段】梱包箱１の天面開口部および底面開口部の長辺に連続する一対の側面２および側面３の中央縦方向に天面および底面の該フラップを含み罫線２ａおよび３ａを形成し、該罫線２ａおよび３ａに沿って梱包箱内部に押し込みながら折り畳むとともに、前記折り畳み部分が部材の応力により形状が復元することを防止するため、該梱包箱開口部の短辺に連続する天面フラップの例えば左側短辺フラップ９に形成した第１の罫線９ａおよび第2の罫線９ｂに沿って折り曲げたフラップ９の先端部を梱包箱内に挿嵌し固定する。さらに、梱包箱を分割補助線部で分割することで、よりコンパクトにすることができる。【選択図】  図１
2007049619.tif 000002
【特許請求の範囲】
【請求項１】
コンパクト化を目的として自身を輪切り分割するための分割補助線部を構成部材に配置した梱包箱。
【請求項２】
分割補助線部は構成部材に複数配置されている請求項１に記載の梱包箱。
【請求項３】
分割補助線部は、カットテープにより構成されている請求項１又は２に記載の梱包箱。
【請求項４】
分割補助線部は、ジッパー構造を有する請求項１又は２に記載の梱包箱。
【請求項５】
分割補助線部は、カットテープにより構成されさらにライナーカット構造を有する請求項１又は２に記載の梱包箱。
【請求項６】
分割補助線部は、カットテープにより構成されさらにジッパー構造を有する請求項１又は２に記載の梱包箱。
【請求項７】
コンパクト化を目的として自身を折り畳むための折曲補助線をさらに構成部材に有する請求項１に記載の梱包箱。
【請求項８】
コンパクト化を目的として自身を折り畳むための折曲補助線をさらに構成部材に有し、
分割補助線部により分割後であって折曲補助線により折り曲げ後に、外側面に現れるように構成部材に把持するための把持穴を配置した請求項１に記載の梱包箱。
【請求項９】
コンパクト化を目的として自身を折り畳むための折曲補助線をさらに構成部材に有し、
分割補助線部により分割後であって折曲補助線により折り曲げ後に、外側面に現れるように構成部材に取っ手を装着するための取っ手装着穴を配置した請求項１に記載の梱包箱。
【請求項１０】
コンパクト化を目的として自身を折り畳むための折曲補助線をさらに構成部材に有し、
分割補助線部により分割後であって折曲補助線により折り曲げ後に、外側面に現れるように構成部材に収納していた商品名、自身の材質、自身の廃棄方法の説明、自身のリサイクル方法の説明の少なくとも一以上の情報表示を配置した請求項１に記載の梱包箱。
【請求項１１】
分割補助線部は、分割により構成部材の構成材料を分別可能に構成部材に配置されている請求項１に記載の梱包箱。
【請求項１２】
分割補助線部は、商品の収納口面を横切って配置されている請求項１に記載の梱包箱。
【請求項１３】
コンパクト化を目的として自身を折り畳むための折曲補助線が、分割補助線部と交差するように構成部材に有する請求項１に記載の梱包箱。
【発明の詳細な説明】
【技術分野】
【０００１】
本発明はダンボール紙やプラスチック部材等で構成されるカードボードを折り曲げ形成した梱包箱の構造に関し、詳しくは梱包箱保管時の省スペース化、または該梱包箱廃棄時の折り畳み作業の容易化、廃棄時の運搬作業の容易化、廃棄物としての流通過程における取り扱いの効率化を図ることが可能なことから、資源の再利用を促進し地球環境の保全に資するものである。
【背景技術】
【０００２】
近時、液晶表示パネルやＰＤＰを表示素子とするテレビやデータディスプレイなどの薄型表示装置は、装置の奥行き寸法が小さいため制約のある設置環境条件下においても大型表示画面を享受することが出来ることから急速に需要が拡大しつつある。大型表示画面を具備するこれらの薄型表示装置製品の輸送中の保護または保管のための梱包箱は容積が大きく、また該薄型表示装置の前面および背面を覆う梱包箱の投影面サイズが極めて大きい。【０００３】
用済み後の空の梱包箱の解体作業を容易にし、廃材としての該梱包箱のコンパクト化を図る従来例としては特許文献１乃至３がある。しかしながらこれらは何れも該梱包箱の解体後の容積が、組み立て状態よりも小さくなるとは言え、該梱包箱の解体後の部材の最大投影面サイズは、解体前の組み立てられた梱包箱の最大投影面サイズより大型化し、取り扱いに困難を極める場合がある。【０００４】
そこで、特許文献４乃至６では、梱包箱の側面及びフラップ等に折り曲げ線を有し、これにより梱包箱をコンパクトに折り畳み可能とした技術が開示されている。
【特許文献１】実用新案登録第３０９３７６７号公報
【特許文献２】特開２００１−３４１７２３号公報
【特許文献３】特開平１１−１１４５７号公報
【特許文献４】特開２００５−２９１７６号公報
【特許文献５】特開２００６−８１５６号公報
【特許文献６】特開２００６−８１５７号公報
【発明の開示】
【発明が解決しようとする課題】
【０００５】
しかしながら、特許文献４乃至６に記載の発明では、折り畳んだ後の梱包箱の最大投影面サイズは、梱包箱を構成するいずれかの面の大きさに依拠するため、コンパクト化に限界がある。ところが、液晶表示パネルやＰＤＰを表示素子とするテレビやデータディスプレイなどの薄型表示装置は、表示画面の大型化に伴い輸送中の製品の保護または保管のための梱包箱が大型となっている。また、ディスプレイ装置以外にも、冷蔵庫や洗濯機といった大型の家電製品の梱包箱はもとより大型である。該梱包箱から製品を取り出した後の空箱は、資源再利用促進による循環型社会の実現を目指す社会的要請の背景から再流通させる必要性が高まりつつある他、後刻の再梱包時に備え一時的に保管する場合がある。またこれらの製品を梱包箱から取り出した後に限られた収納部に保管するために元のサイズより小さく解体して分割保存したり、運搬しなければならない場合がある。さらに梱包箱が大型化すると梱包箱を構成するカードボード自体の厚みも大きくなるので解体するためにはカッターやナイフを用いても大きな力が必要となり腕力の小さい人では危険が伴うと共に容易に解体できない場合がある。いずれの場合においても大型の梱包箱は取り扱いが煩雑であるため、用済み後の梱包箱のさらなるコンパクト化と運搬をし易くしながら使用者が安全に解体できる梱包箱形態の実現手段が必要である。
【課題を解決するための手段】
【０００６】
そこで、第一発明では、コンパクト化を目的として自身を輪切り分割するための分割補助線部を構成部材に配置した梱包箱を提供することを目的とする。第二発明では、分割補助線部は構成部材に複数配置されている第一発明に記載の梱包箱を提供する。第三発明では、分割補助線部は、カットテープにより構成されている第一発明又は第二発明に記載の梱包箱を提供する。第四発明では、分割補助線部は、ジッパー構造を有する第一発明又は第二発明に記載の梱包箱を提供する。第五発明では、分割補助線部は、カットテープにより構成されさらにライナーカット構造を有する第一発明又は第二発明に記載の梱包箱を提供する。第六発明では、分割補助線部は、カットテープにより構成されさらにジッパー構造を有する第一発明又は第二発明に記載の梱包箱を提供する。【０００７】
第七発明では、コンパクト化を目的として自身を折り畳むための折曲補助線をさらに構成部材に有する第一発明に記載の梱包箱を提供する。第八発明では、コンパクト化を目的として自身を折り畳むための折曲補助線をさらに構成部材に有し、分割補助線部により分割後であって折曲補助線により折り曲げ後に、外側面に現れるように構成部材に把持するための把持穴を配置した第一発明に記載の梱包箱を提供する。第九発明では、コンパクト化を目的として自身を折り畳むための折曲補助線をさらに構成部材に有し、分割補助線部により分割後であって折曲補助線により折り曲げ後に、外側面に現れるように構成部材に取っ手を装着するための取っ手装着穴を配置した第一発明に記載の梱包箱を提供する。第十発明では、コンパクト化を目的として自身を折り畳むための折曲補助線をさらに構成部材に有し、分割補助線部により分割後であって折曲補助線により折り曲げ後に、外側面に現れるように構成部材に収納していた商品名、自身の材質、自身の廃棄方法の説明、自身のリサイクル方法の説明の少なくとも一以上の情報表示を配置した第一発明に記載の梱包箱を提供する。第十一発明では、分割補助線部は、分割により構成部材の構成材料を分別可能に構成部材に配置されている第一発明に記載の梱包箱を提供する。第十二発明では、分割補助線部は、商品の収納口面を横切って配置されている第一発明に記載の梱包箱を提供する。第十三発明では、折曲補助線が、分割補助線部と交差するように配置されている第一発明に記載の梱包箱を提供する。
【発明の効果】
【０００８】
製品取り出し後の大型の梱包箱をコンパクトにすることが可能となり、後刻の再梱包のための一時的な保管時の省スペース化、または該梱包箱廃棄時の折り畳み作業を容易で確実なものとすることにより、廃棄物のコンパクト化および廃材の流通過程における取り扱いの効率化を図り資源再利用を促進し地球環境の保全に資することが出来る。
【発明を実施するための最良の形態】
【０００９】
本発明を実施するための最良の形態について、図面を用いて詳細に説明する。なお、本発明はこれら実施の形態になんら限定されるものではなく、その要旨を逸脱しない範囲において種々なる態様で実施しうる。なお、以下の実施形態と請求項の関係は次のとおりである。実施形態１は主として請求項１などについて説明する。実施形態２は主として請求項２、１２などについて説明する。実施形態３は主として請求項３、４、５、６などについて説明する。実施形態４は、主として請求項７、１３などについて説明する。実施形態５は主として請求項８などについて説明する。実施形態６は主として請求項９などについて説明する。実施形態７は主として請求項１０などについて説明する。実施形態８は主として請求項１１などについて説明する。【００１０】
≪実施形態１≫（実施形態１の概念）本実施形態の梱包箱は、自身を輪切り分割することができることを特長とする。【００１１】
（実施形態１の構成）図６（ａ）に本実施形態の梱包箱（０６００）を例示する。該梱包箱（０６００）は、コンパクト化を目的として自身を輪切り分割するための分割補助線部（０６０２）を構成部材（０６０１）に配置していることを特長とする。【００１２】
（実施形態１の構成の説明）「構成部材」（０６０１）は、梱包箱（０６００）を構成するための部材である。構成部材は、ダンボールや厚紙などの紙を素材とするものであっても良いし、プラスチックや発泡スチロールなどの樹脂を素材とするものであっても良いし、金属等を素材とするものであっても良い。例えば、大型の液晶ディスプレイ等の電化製品の梱包箱の場合には、梱包箱そのものの構成部材はカードボードと呼ばれるダンボールにて形成し、内部に樹脂製や紙製の緩衝材を封入し、持ち運びのためのプラスチック製の取っ手などが設けられることが多い。【００１３】
「分割補助線部」（０６０２）は、コンパクト化を目的として自身を輪切り分割するために構成部材に配置されたものである。「コンパクト化を目的として」とは、分割補助線部の配置が、梱包箱を開封して製品を取り出す目的だけではなく、製品が取り出された後に梱包箱自身をコンパクト化することを主たる目的としていることをいう。コンパクト化の主たる目的は、廃棄物となる使用後の梱包箱の低容量化、軽量化、運搬作業の容易化及び一時的に保管する場合の省スペース化である。「自身を輪切り分割するため」とは、分割補助線部の配置が、梱包箱を輪切りにして、梱包箱自身を二分割あるいはそれ以上に分割することを目的としていることをいう。分割補助線部は、図６（ｂ）に示すように、梱包箱を「輪切り」にするために、梱包箱の側周壁等に沿って設けられている。分割補助線部を構成部材に配置することで、容易に分割することができ、梱包箱のコンパクト化に資する。さらに、実施形態４にて説明するように、分割後の梱包箱の折り畳み作業等も容易で確実にすることができる。そして、分割された梱包箱の断片のそれぞれは必然的に重量及びサイズが減じられるため、使用後の梱包箱の軽量化、易解体性の向上に資するため、運搬もし易くなる。【００１４】
図７（ａ）に示すように、梱包箱の形状は直方体に限定されず、円柱形状の梱包箱（０７０１）とし、該梱包箱を輪切り分割するために分割補助線部（０７０２）を設けても良い。梱包箱の形状はこれら以外であっても良い。【００１５】
図７（ｂ）に示すように、分割補助線部（０７０３）は、商品の収納口面を横切って配置されて、梱包箱を縦方向に輪切り分割することとしても良い。「商品の収納口面」とは、商品を収納するための開口部（０７０４）を含む面である。図７（ｂ）では、商品の収納口面を構成するフラップ（０７０５）を横切るように分割補助線部が設けられている。【００１６】
分割補助線部は、構成部材にミシン目状の微細な貫通孔を空けることで形成しても良いし、構成部材の一部を薄肉化させることで形成しても良いし、実施形態３にて説明するようなカットテープ等により形成しても良い。【００１７】
（実施形態１の効果）本実施形態の梱包箱によると、製品取り出し後の大型の梱包箱をコンパクトにすることが可能となり、後刻の再梱包のための一時的な保管時の省スペース化、または該梱包箱廃棄時の折り畳み作業を容易で確実なものとすることにより、廃棄物のコンパクト化、廃棄物の運搬作業の容易化、廃棄物の流通過程における取り扱いの効率化を図り資源再利用を促進し地球環境の保全に資することが出来る。【００１８】
≪実施形態２≫（実施形態２の概念）近年の液晶ディスプレイ装置等では、年々大型化が進行しており、実施形態１に記載のように２分割したのみではなお持ち運びや処理が困難である場合が少なくない。そこで、本実施形態の梱包箱は、自身を複数の分割補助線部にて小片に輪切り分割することができることを特長とする。【００１９】
（実施形態２の構成）図８（ａ）に本実施形態の梱包箱（０８００）を例示する。該梱包箱（０８００）は、コンパクト化を目的として自身を輪切り分割するための分割補助線部（０８０２）を構成部材（０８０１）に複数配置していることを特長とする。なお、「分割補助線部」そのものの構成は実施形態１と同様であるため説明を省略する。【００２０】
（実施形態２の構成の説明）「構成部材」（０８０１）は、実施形態１に記載の構成部材を基本とし、さらに本実施形態の構成部材は、分割補助線部（０８０２）が複数配置されていることを特長とする。図８（ｂ）に示すように、分割補助線部を構成部材に複数配置することにより、分割補助線部にて梱包箱をよりコンパクトに分割することができる。さらに、実施形態４にて記載するように、分割後の梱包箱の小片の折り畳み作業等もより容易で確実にすることができる。このため、梱包箱が大型化した場合であっても、適切なサイズに分割することができる。また、全ての分割補助線部で構成部材を分割する必要は無く、処理を行う人や装置等の大きさに合わせて、任意のサイズに分割することができる。【００２１】
複数の分割補助線部は、図８（ａ）に示すように、側周壁に沿って略平行となるように構成部材に配置されていても良いし、図９に示すように、側周壁に沿って配置し（０９０１）、かつ、商品の収納口面を横切って配置しても良い（０９０２）。この場合には、梱包箱を縦横に分割することができ、分割後は、よりコンパクトにすることができる。【００２２】
（実施形態２の効果）本実施形態の梱包箱によると、製品取り出し後の大型の梱包箱をよりコンパクトにすることが可能となり、後刻の再梱包のための一時的な保管時の省スペース化、または該梱包箱廃棄時の折り畳み作業を容易で確実なものとすることにより、廃棄物のコンパクト化、廃棄物の運搬作業の容易化、廃棄物の流通過程における取り扱いの効率化を図り資源再利用を促進し地球環境の保全に資することが出来る。【００２３】
≪実施形態３≫（実施形態３の概念）本実施形態の梱包箱は実施形態１又は２に記載の梱包箱を基本とし、さらに、分割補助線部での分割をより容易にするための構造を備えていることを特長とする。【００２４】
（実施形態３の構成）図１０（ａ）に本実施形態の梱包箱を例示する。該梱包箱は、コンパクト化を目的として自身を輪切り分割するための分割補助線部（１００２）を構成部材（１００１）に配置しており、該分割補助線部がカットテープ、ジッパー構造、ライナーカット、カットテープとライナーカットの組み合わせ、カットテープとジッパー構造の組み合わせ、の少なくともいずれか一又は二つ以上の組み合わせにより構成されていることを特長とする。なお、「構成部材」の構成は実施形態１又は２と同様であるため説明を省略する。【００２５】
（実施形態３の構成の説明）「分割補助線部」（１００２）は、実施形態１又は２に記載の構成を基本とし、さらに、カットテープ、ジッパー構造、ライナーカット、カットテープとライナーカットの組み合わせ、カットテープとジッパー構造の組み合わせ、のいずれか一又は二以上の組み合わせにより構成されていることを特長とする。すなわち、実施形態２にて記載したとおり、構成部材に複数本の分割補助線部が配されている場合には、異なる種類の分割補助線部を構成部材に配しても良い。分割補助線部は、その構成により、構成部材における強度に影響を与える可能性がある。このため、大型の梱包箱に複数本の分割補助線部を配する場合には、例えば、構成部材の強度が必要となる底面側に近い分割補助線部を比較的強度の高いカットテープのみの構造とし、構成部材の強度がそれほど必要ではない天面側に近い分割補助線部を、強度はそれほど高くないが構成部材の分割を容易にしたカットテープとライナーカットを組み合わせた構造とするなど、梱包箱のサイズや必要とされる強度に応じて分割補助線部を選択して梱包箱を設計することができる。【００２６】
これらのいずれかにより分割補助線部が構成されていることで、カッターやハサミ等の道具を利用せずとも取扱者の手で容易に且つ安全に梱包箱を分割することができる。なお、カットテープ等の端部が設けられている箇所の構成部材には、予め外部から該端部を摘むことができるように略Ｈ型の切込み（１００３）を入れておくことが望ましい。図１０（ｂ）〜（ｆ）を用いて分割補助線部の具体例を詳細に説明する。【００２７】
「カットテープ」（１００４）とは、図１０（ｂ）に示すように、ポリプロピレンやポリエチレンなどの合成樹脂を素材とし、梱包箱の分割を容易にするために主として梱包箱内面側に貼り付けられる帯状の部材である。カットテープの端部を把持して、梱包箱の内面側から外面側に力を加えて引っ張ると、カットテープが構成部材を引き裂くようにして、カットテープに沿って容易に梱包箱を分割することができる。【００２８】
「ジッパー構造」（１００５）とは、図１０（ｃ）に示すように、略「ハ」型の連続した切込みを構成部材に直接形成した構造である。ジッパー構造の端部を把持して、梱包箱の外部方向に力を加えて引っ張ると、隣り合う略「ハ」型の間の構成部材が次々と切断されて略「ハ」型が繋がるため、ジッパー構造に沿って容易に梱包箱を分割することができる。【００２９】
「ライナーカット」（１００６）とは、図１０（ｄ）に示すように、梱包箱の内面側に構成部材を貫通させない程度の複数の小孔（１００６ａ）を所定の間隔（１００６ｂ）を隔てて線状に配置し、これを平行に２本設けた構造である。ライナーカットの端部を把持して、梱包箱の外部方向に力を加えて引っ張ると、隣り合う小孔の間の構成部材が次々と切断されて小孔が繋がるため、ライナーカットに沿って容易に梱包箱を分割することができる。【００３０】
「カットテープとライナーカットの組み合わせ」（１００７）とは、図１０（ｅ）に示すように、カットテープにより構成されさらにライナーカット構造を有する構造である。梱包箱の内面側のライナーカットの幅方向略中央にカットテープを貼り付けており、カットテープ及びライナーカットの端部を把持して、梱包箱の内面側から外面側に力を加えて引っ張ると、カットテープを引っ張る力がライナーカットの小孔の間の構成部材の切断を助力し、カットテープのみあるいはライナーカットのみの場合よりもより容易に梱包箱を分割することができる。【００３１】
「カットテープとジッパー構造の組み合わせ」（１００８）とは、図１０（ｆ）に示すように、カットテープにより構成されさらにジッパー構造を有する構造である。梱包箱のジッパー構造の略「ハ」型の幅方向略中央にカットテープを貼り付けており、カットテープ及びジッパー構造の端部を把持して、梱包箱の内面側から外面側に力を加えて引っ張ると、カットテープを引っ張る力がジッパー構造の略「ハ」型の間の構成部材の切断を助力し、カットテープのみあるいはジッパー構造のみの場合よりも容易に梱包箱を分割することができる。【００３２】
（実施形態３の効果）本実施形態の梱包箱によると、製品取り出し後の大型の梱包箱をより簡単にコンパクトにすることが可能となり、後刻の再梱包のための一時的な保管時の省スペース化、または該梱包箱廃棄時の折り畳み作業を容易で確実なものとすることができ、さらに、分割補助線部をカットテープ、ジッパー構造、ライナーカット、カットテープとライナーカットの組み合わせ、カットテープとジッパー構造の組み合わせ、のいずれか一により構成することで、カッターやハサミ等の道具を利用せずとも取扱者の手で極めて容易に且つ安全に梱包箱を分割することができ、廃棄物のコンパクト化、廃棄物の運搬作業の容易化、廃棄物の流通過程における取り扱いの効率化による資源再利用をより一層促進し地球環境の保全に資することが出来る。【００３３】
≪実施形態４≫（実施形態４の概念）本実施形態の梱包箱は実施形態１に記載の梱包箱を基本とし、さらに、コンパクト化を目的として自身を折り畳むための折曲補助線を構成部材に有することを特長とする。【００３４】
（実施形態４の構成）図１１（ａ）に本実施形態の梱包箱を例示する。該梱包箱は、コンパクト化を目的として自身を輪切り分割するための分割補助線部（１１０２）を構成部材（１１０１）に配置しており、さらに、コンパクト化を目的として自身を折り畳むための折曲補助線（１１０３）を有することを特長とする。なお、構成部材、分割補助線部の構成は実施形態１と同様であるため説明を省略する。【００３５】
（実施形態４の構成の説明）「折曲補助線」（１１０３）は、コンパクト化を目的として自身を折り畳むために構成部材に配置される。「コンパクト化を目的として」とは、折曲補助線の配置が、製品の梱包等を目的としたものではなく、主としてコンパクト化を目的としていることを示している。コンパクト化の主たる目的は、廃棄物となる使用後の梱包箱の低容量化及び一時的に保管する場合の省スペース化である。折曲補助線は、分割補助線部と並行して配置されていても良いが、分割後の梱包箱のコンパクト化をより効率的に行うためには、図１１に示すように、折曲補助線と分割補助線部とは交差していることが望ましく、略垂直に交差していることがより望ましい。分割補助線部では、分割された梱包箱を折曲補助線にて折り畳むことで、分割された梱包箱の断片を軽量化し、かつ、更なるコンパクト化を実現することができる。このため、例えば、大型の梱包箱であっても、その最大投影面サイズをＡ３版サイズ、Ａ４版サイズ程度にコンパクト化することも可能である。このため、廃棄物となった使用後の梱包箱の運搬作業を極めて容易にし、その後の流通過程における取り扱いの効率化に資する。【００３６】
折曲補助線は、構成部材の折曲補助線に該当する箇所へ浅く切込みを入れたり、該当する箇所を薄肉構造としたりすることで形成することができる。また、実施形態３にて説明したライナーカットのような小孔を配することで折曲補助線を形成しても良い。構成部材の折り曲げでは、折り曲げる方向により、構成部材の一面には圧縮力、もう一方の面には引張力がかかる。すなわち、一方の面からのみ見ると、いわゆる、「山おり」の場合と「谷おり」の場合がある。折曲動作を容易に行うためには、切り込みや薄肉形状を引張力がかかる面に形成することが望ましい。図１１（ａ）に示す梱包箱の側面に配された折曲補助線（１１０３ａ）では、後述するとおり、梱包箱内面側に引張力がかかるため、梱包箱内面側に切込み等を形成する。一方、梱包箱の上面のフラップに配された折曲補助線（１１０３ｂ）は、後述するとおり、梱包箱の側面の内側又は外側にフラップを折り畳んだ状態にて、折り曲げることになる。このため、梱包箱に製品を収納した状態におけるフラップの表面側（外面側）に切込み等を形成する。なお、切込み等を形成しない面にも、罫線を記して折曲位置であることを示したり、「山おり」、「谷おり」等の語句を折曲補助線に即して記したりしても良い。このような構造により、少しの力で、かつ、適切な折曲位置で構成部材を折り曲げることができる。ただし、折曲補助線は、構成部材が分割されてしまわない程度の強度を有する構造とすることが望ましい。折曲補助線は、梱包箱に製品が梱包された状態では、未だ折り曲げられていない状態であり、梱包箱の廃棄の時点において初めて折り曲げられる。なお、折曲補助線を対向するそれぞれの面の中央に配置した場合、梱包箱の形状によっては、折り曲げ時に対向する面の構成部材が互いにぶつかって適正に折り曲げることができないという問題が生じる可能性もある。これは、折曲補助線を互いに異なる方向へずらすことで回避することができる。また、図１１（ａ）では、一の面に一の折曲補助線が配置されているが、一の面に複数の折曲補助線を山おりと谷おりが交互に現れるように配置して蛇腹状に構成部材を折り曲げるようにしても良い。このとき、一の面に配置する折曲補助線の本数は奇数であることが望ましい。折曲補助線を複数本配置すると、梱包箱がより大型化した場合にも効果的に梱包箱を折り畳むことができる。【００３７】
次に、折曲補助線を利用した梱包箱の折曲方法を解説する。まず、図１１（ａ）に示す梱包箱を、図１１（ｂ）に示すように、分割補助線部（１１０２）にて上面側の構成部材（１１０１ａ）と底面側の構成部材（１１０１ｂ）に分割する。次に、図１１（ｃ）に示すように、分割された構成部材（１１０１ａ）のフラップのうち、一のフラップ（１１０４ａ）のみを残して他のフラップ（１１０４ｂ、１１０４ｃ、１１０４ｄ）を内側に折り曲げる。このとき、外側に折り曲げても良いが、内側に折り曲げる方が望ましい。次に、図１１（ｄ）に示すように、折曲補助線により構成部材（１１０１ａ）を梱包箱内側へ向けて折り曲げる。そして、図１１（ｅ）に示すように、梱包箱内側に折り畳んでいないフラップ（１１０４ａ）を、折曲補助線を折り曲げることで形成された空間（１１０５）に向けて挿嵌する。このとき、フラップを挿嵌し易いように、フラップは先端側に向けて幅狭な形状となっていることが望ましい。すると、図１１（ｆ）に示すように、上面側の構成部材（１１０１ａ）がコンパクトに折り畳められる。折り畳められた構成部材は、その材質等により広がる方向に附勢される場合があるため、当該附勢を抑えるため、挿嵌するフラップ（１１０４ａ）はなるべく奥まで差し込むことが望ましい。底面側の構成部材（１１０１ｂ）についても、フラップを有しており、上記と同様にして折り畳むことができる。以上の通り、梱包箱の構成部材が、側壁とこれに対応するフラップからなる場合には、３辺のフラップを梱包箱の内側に収納し、折り畳み後の構成部材が広がる方向に附勢されることを１辺のフラップにて防ぐことができるため、分割された構成部材がばらけることもなく、梱包箱をコンパクトにまとめることができる。【００３８】
次に、図１２（ａ）に、実施形態２にて説明したように構造部材（１２０１）に分割補助線部（１２０２）が複数配置されており、かつ、折曲補助線（１２０３）を有している場合を示す。図１２（ｂ）に示すように、まず、分割補助線部にて梱包箱が３つに分割される。そして、図１２（ｃ）に示すように、折曲補助線により折り曲げられることで、３つに分割された梱包箱の小片をより容易にコンパクトに折り畳むことができる。３つに分割された梱包箱の内、天面の部分の構成部材（１２０１ａ）と底面の部分の構成部材（１２０１ｃ）は、図１１の場合と同様にフラップを利用して折り畳み形状を保つことができる。しかし、間の部分の構成部材（１２０１ｂ）は、その材質によりそのままでは折り畳み形状を保つことができない場合がある。このため、構成部材に折曲可能な略「ハ」型の切込み部（１２０４ａ）を予め設けておくことが望ましい。該切込み部は、図１２（ｃ）に示すように、起立させることで対向する面に係合させて折り畳み状態を保持することができる。このとき、図１２（ｂ）に示すように対向する面に設けられた切込み部（１２０４ｂ）は略「逆ハ」型であることが望ましい。また、図１２（ｃ）に示すように切込み部を起立させるときに、阻害要因となる予定の箇所を予め切り落とし可能としておくことが望ましい。切り落としは、分割補助線部による構成部材の分割動作とともに抉り取るようにして行うこととしても良い。以上の通り、分割補助線部が複数の場合にも、フラップと切込み部を有することで分割された構成部材がばらけることもなく、梱包箱をコンパクトにまとめることができる。【００３９】
（実施形態４の具体例）
《折り畳み可能な梱包箱の説明》【００４０】
以下に、図に基づいて本発明の実施形態を液晶テレビ製品の梱包箱に適用した場合を説明する。まず、図１から図４を用いて、折り畳み可能な梱包箱を具体的に説明する。図１は薄型表示装置製品の折り畳み可能な梱包箱の外観斜視図である。梱包箱１はダンボール紙部材を折り曲げ形成し、前側面２、後ろ側面３、左側面4および右側面5を含む４側面、および天面と底面６により構成されている。天面は開口部の長辺を構成する前側長辺フラップ７および後ろ側長辺フラップ８、および天面開口部の短辺を構成する左側短辺フラップ９および右側短辺フラップ１０の各フラップが天面開口部を閉鎖するように折り曲げ構成されている。底面６もまた天面と同様である。前側面２、後ろ側面３、左側面４、右側面５、及び、前側長辺フラップ７、後ろ側長辺フラップ８、左側短辺フラップ９、右側短辺フラップ１０が本実施形態における構成部材に該当する。なお、図１は各側面にフラップが設けられた場合の梱包箱を示しているが、梱包箱はフラップが無いタイプであっても良い。【００４１】
図１に示すごとく梱包箱１の前側面２および後ろ側面３のそれぞれの幅方向の中央には上下方向に罫線２aおよび罫線３aが形成され、天面の前側長辺フラップ７および後ろ側長辺フラップ８にも該罫線２aおよび該罫線３aを延伸するように罫線７aおよび罫線８ａが形成されている。底面６を構成する２片の長辺フラップ（図示せず）にもまた天面フラップと同様に罫線が形成されている。罫線２ａ、罫線３ａ、罫線７ａ、罫線８ａが本実施形態における折曲補助線の位置を示している。なお、図１では、４側面のうち、長辺を構成する前側面２、後ろ側面３と、これにそれぞれ設けられた前側長辺フラップ７、後ろ側長辺フラップ８に、それぞれ折曲補助線である罫線２ａ、罫線３ａ、罫線７ａ、罫線８ａを形成しているが、折曲補助線は、短辺を構成する左側面４、右側面５と、これにそれぞれ設けられた左側短辺フラップ９、右側短辺フラップ１０に形成することとしても良い。この場合には、以降に説明する長辺を構成する側面及び長辺フラップと、短辺を構成する側面及び短辺フラップの機能は逆となる。【００４２】
また、図１に示すごとく左側短辺フラップ９には、該左側短辺フラップ９の折り曲げ線と平行する第１の罫線９ａおよび第２の罫線９ｂが折曲補助線として形成されていても良い。右側短辺フラップ１０および底面６を形成する二片の短辺フラップにもまた天面の該左側短辺フラップ９の該第１の罫線９ａおよび該第２の罫線９ｂと同様に罫線が形成されていても良い。【００４３】
図２は梱包箱内から製品を取り出した後の空の梱包箱１を折り畳む手順を説明する斜視図である。図２（ａ）中に破線矢印により示すごとく天面開口部の右側短辺フラップ１０、前側長辺フラップ７および後ろ側長辺フラップ８を梱包箱内に折り込むが、左側短辺フラップ９は梱包箱内に折り込まない。底面（図示せず）についても天面と全く同様に四片のフラップのうち左側面４に連続するフラップを除く三片のフラップを梱包箱内に折り込む。【００４４】
次に梱包箱の前側面２を下に向け横倒しとし、図２（ｂ）中に破線矢印で示すごとく後ろ側面３に形成された罫線３ａに沿って後ろ側長辺フラップと共に梱包箱内部に折り込む。該梱包箱の前側面２についてもまた該後ろ側面３と同様に前側面２に形成された罫線２ａに沿って前側長辺フラップ７と共に梱包箱内部に折り込む。底面フラップ（図示せず）もまた天面フラップと同様である。さらに図２（ｃ）に示すごとく左側面４を下にし、図２（ｃ）中に破線矢印で示すごとく右側面５を押下する。【００４５】
図２（ｃ）に示す左側短辺フラップ９に形成した第１の罫線９ａおよび第2の罫線９ｂに沿って該左側短辺フラップ９を内側に折り曲げ、該左側短辺フラップ９先端部を梱包箱の間隙に挿嵌し固定する。左側面４に連続する底面フラップ（図示せず）についてもまた同様である。【００４６】
図３は梱包箱を構成するカードボード部材の展開図の一部であり、左側短辺フラップ９および左側面４の詳細図を示している。該左側短辺フラップ９が左側面４と連続する部分の該左側短辺フラップ９の幅寸法を左側面４と同等の「Ｂ」とすることにより梱包箱を組み立てたときの強度を維持している。このとき、該左側短辺フラップ９先端部の長さ寸法「Ａ」は、左側面４の幅寸法「Ｂ」より短く形成することが望ましい。該左側短辺フラップ９の先端部の幅寸法「Ａ」および左側面４の幅寸法「Ｂ」の関係を「Ａ」<「Ｂ」とすることにより該左側短辺フラップ９の先端部を図２（ｃ）に示すごとく押下された右側面５により形成される間隙に容易に挿嵌し固定することが可能となる。【００４７】
前述の説明では梱包箱の左側面４に連続する天面の左側短辺フラップ９について詳述しているが、底面を構成する短辺フラップについてもまた同様にフラップ先端部を梱包箱内に挿嵌し固定されることにより、図４に示すごとく大型の梱包箱を容易にコンパクトに折り畳むことが出来、製品を取り出した後の空の梱包箱の一時的な保管、または該梱包箱を資源ごみとして再流通させる過程において容易に取り扱うことが出来る。【００４８】
以上のような梱包箱では、ダンボール紙やプラスチック部材で構成されるカードボードを折り曲げ形成し、天面、底面および四側面で構成される梱包箱の天面開口部および底面開口部の短辺に連続する少なくとも一つのフラップの先端部の長さ寸法を該フラップに連続する天面開口部および底面開口部の短辺より短く形成しており、該フラップ先端部を折り畳んだ該梱包箱内に容易に挿嵌し固定することができる。【００４９】
《本実施形態の梱包箱の説明》【００５０】
本実施形態の梱包箱は、以上のような折曲補助線を構成部材に有し、さらに、分割補助線部を有する。これを図５（ａ）に示す。図５（ａ）は本実施形態を示す梱包箱２１の外観斜視図である。梱包箱２１の前側面２２、後ろ側面２３、左側面２４および右側面２５を含む全側面の内周面にカットテープ３７が貼着されていることで分割補助線部が構成されている。図５（ｂ）は該梱包箱２１を構成するカードボード部材の展開図である。前記の全四側面の内周面に貼着されたカットテープ３７のいずれかの位置にカットテープ把持部３６が形成されている。たとえば本実施形態では、図５（ｂ）に示すごとく前側面２２と右側面２５との折り曲げ線近傍の前側面２２に「Ｈ」字型の内面に達する切り込み線を形成しカットテープ把持部３６を形成している。【００５１】
製品を取り出した後の図５（ａ）に示す梱包箱２１の前側面２２に形成されたカットテープ把持部３６の「Ｈ」字型切込み部に指を挿入し、例えば図５（ｂ）中に示す右向きの矢印の方向に該カットテープ把持部３６の一方を把持しながら引き上げることにより前側面２２および左側面２４の内面に貼着されたカットテープ３７に沿って該梱包箱２１の前側面２２および左側面２４の上下が分離される。同様に図５（ｂ）中に示す左向きの矢印の方向にカットテープ把持部３６を引き上げることにより右側面２５および後ろ側面２３の内面に貼着されたカットテープに沿って右側面２５および後ろ側面２３の上下が分離され、全四側面の上下を容易に分離することが出来、分離された個々の部材を前述の本発明の第１の実施形態を適用し折り畳むことにより、きわめてコンパクトな扱い易いサイズとなる。【００５２】
以上の梱包箱では、ダンボール紙やプラスチック部材で構成されるカードボードを折り曲げ形成し、天面、底面および四側面で構成される梱包箱の対向する一対の側面の中央に罫線を形成すると共に、さらに該梱包箱を形成する該四側面の内面にカットテープを巻回し、該カットテープに沿って該カットテープを引き上げることで該梱包箱の上下を分離し、用済み後の廃材としての梱包箱を取り扱いの容易な小片とすることができる。【００５３】
また、図５に示す梱包箱においては、梱包箱の天面を構成する前側長辺フラップ２７および後ろ側長辺フラップ２８は底面を構成するフラップよりも大きく形成され、天面開口部全体を前側長辺フラップ２７および後ろ側長辺フラップ２８が重ねて覆う構造としている。左側短辺フラップ２９および右側短辺フラップ３０を天面開口部側に折り曲げた後に、プラスチック部材で構成されたハンドル３３の係止部３３ｂを前側長辺フラップ２７のハンドル挿通孔３１に挿入係止し、該前側長辺フラップ２７を天面開口部へ折り曲げた後、さらに後ろ側長辺フラップ２８を重ねて天面開口部へ折り曲げ、該後ろ側長辺フラップ２８のハンドル挿通孔３２からハンドル３３の把持部３３ａを挿通させることにより、梱包箱２１内部に製品を梱包した状態で人手によりハンドル３３を把持し吊り下げ移動時に必要とする梱包箱２１の天面部強度を確保している。後ろ側長辺フラップに連続する舌片３４は前側長辺フラップ２７に形成された舌片挿嵌孔３５に挿嵌係止する。【００５４】
当該梱包箱においては、天面フラップ２７、２８、および３０を梱包箱内に折り込んだ場合、折り込まれた部分の長さは、底面のフラップが折り込まれた長さよりも長くなる。このため、天面フラップおよび底面フラップの折込長さに見合った四側面位置、すなわち、四側面の高さ方向の中心３８から下方にオフセットさせた位置をカットテープ３７の巻回位置として全側面の内面に貼着する。これにより、天面のフラップの折込長さと底面のフラップの折込長さが異なる梱包箱であっても、該梱包箱の上下をフラップの折込長さに見合った大きさに分離することができ、解体し折り畳まれた空箱のサイズをさらにコンパクト化させることが可能となる。図５は、分割補助線部が１本の場合について例示しているが、分割補助線部が複数本であれば、図１２に示すように、さらにコンパクトに梱包箱を折り畳むことができる。【００５５】
（実施形態４の効果）本実施形態の梱包箱によると、製品取り出し後の大型の梱包箱をより簡単にコンパクトに折り畳むことが可能となり、後刻の再梱包のための一時的な保管時の省スペース化、または該梱包箱廃棄時の折り畳み作業を容易で確実なものとすることにより、廃棄物の大幅なコンパクト化、廃棄物の運搬作業の容易化、廃棄物の流通過程における取り扱いの効率化を図り資源再利用を促進し地球環境の保全に資することが出来る。分割補助線部では、分割された梱包箱を折曲補助線にて折り畳むことで、分割された梱包箱の断片を軽量化し、かつ、更なるコンパクト化を実現することができる。このため、廃棄物となった使用後の梱包箱は、腕力の小さい子供や高齢者であっても、容易に運搬等することができるために運搬作業を極めて容易にし、その後の流通過程における取り扱いの効率化にも資する。さらに、梱包箱の構成部材にフラップを有する場合であっても、分割された構成部材がばらけることもなく、梱包箱をコンパクトにまとめることができる。【００５６】
≪実施形態５≫（実施形態５の概念）本実施形態の梱包箱は実施形態４に記載の梱包箱を基本とし、さらに、梱包箱の折り畳み後に構成部材を把持する把持穴が外側面に現れることを特長とする。【００５７】
（実施形態５の構成）図１３（ａ）に本実施形態の梱包箱（１３００）を例示する。該梱包箱（１３００）は、コンパクト化を目的として自身を輪切り分割するための分割補助線部（１３０２）と、コンパクト化を目的として自身を折り畳むための折曲補助線（１３０３）を構成部材（１３０１）に有し、さらに、把持穴（１３０４）が配置されていることを特長とする。なお、構成部材、分割補助線部、折曲補助線の構成は実施形態１または４と同様であるため説明を省略する。【００５８】
（実施形態５の構成の説明）「把持穴」（１３０４）は、構成部材を把持するために構成部材に配置されている。また、把持穴は、分割補助線部により梱包箱を分割後であって、かつ、折曲補助線により梱包箱が折り曲げられた後に、分割して折り曲げられた各梱包箱の外側面に現れるように構成部材に配置されている。図１３（ａ）の梱包箱を分割補助線部にて分割し、図１３（ｂ）に示すように折曲補助線にて折り曲げた各梱包箱の小片に、少なくとも一以上の把持穴が設けられるように把持穴を設けることが望ましい。把持穴は、構成部材に切込みを入れたり、構成部材の一部を切り抜くことで形成することができる。把持穴を有することで、梱包箱を折り畳んだ後に片手で持ち運びが可能となり、運搬、廃棄をより容易に行うことができるようになる。また、図１３（ｃ）に示すように、分割補助線部にて梱包箱を分割せずに折曲補助線にて梱包箱を折り曲げても良い。【００５９】
図１１に記載したような方法にて梱包箱が折り畳み可能であるとすると、図１３（ａ）に示す梱包箱の側面部（１３０５）に把持穴（１３０４）を配置すると、図１３（ｂ）、図１３（ｃ）に示すように梱包箱の折り畳み後に把持穴が外側面に現れる。すなわち、折曲補助線が配置されている面に隣接するいずれかの面に把持穴を配置することで、梱包箱の折り畳み後に把持穴が外側面に現れるように配置することができる。【００６０】
（実施形態５の効果）本実施形態の梱包箱によると、製品取り出し後の大型の梱包箱をより簡単にコンパクトにすることが可能となり、後刻の再梱包のための一時的な保管時の省スペース化、または該梱包箱廃棄時の折り畳み作業を容易で確実なものとすることにより、廃棄物のコンパクト化、廃棄物の運搬作業の容易化、廃棄物の流通過程における取り扱いの効率化を図り資源再利用を促進し地球環境の保全に資することが出来る。さらに、把持穴を有することで、コンパクト化した梱包箱を片手で容易に運搬することができる。【００６１】
≪実施形態６≫（実施形態６の概念）本実施形態の梱包箱は実施形態４に記載の梱包箱を基本とし、さらに、梱包箱の折り畳み後に構成部材に取っ手を装着するための取っ手装着穴を配置したことを特長とする。【００６２】
（実施形態６の構成）図１４（ａ）に本実施形態の梱包箱（１４００）を例示する。該梱包箱（１４００）は、コンパクト化を目的として自身を輪切り分割するための分割補助線部（１４０２）と、コンパクト化を目的として自身を折り畳むための折曲補助線（１４０３）を構成部材（１４０１）に有し、さらに、取っ手装着穴（１４０４）が配置されていることを特長とする。なお、構成部材、分割補助線部、折曲補助線の構成は実施形態１または４と同様であるため説明を省略する。【００６３】
（実施形態６の構成の説明）「取っ手装着穴」（１４０４）は、構成部材に取っ手を装着するために構成部材に配置されている。また、取っ手装着穴は、分割補助線部により梱包箱を分割後であって、かつ、折曲補助線により梱包箱が折り曲げられた後に、折り曲げられた梱包箱の外側面に現れるように構成部材に配置されている。取っ手装着穴は、構成部材の一部を切り抜いた一組の穴で形成することができる。図１４に示すように、梱包箱には、製品が収納された状態で運搬を容易に行うための取っ手（１４０５）が取り外し可能に設けられていることがある。この場合に、図１４（ｂ）に示すように分割補助線部により分割後の各梱包箱を折り畳んだ状態の外側面にそれぞれ少なくとも１組の取っ手装着穴（１４０４）が現れるように、構成部材に取っ手装着穴を配置する。梱包箱に備えられていた取っ手（１４０５）は、一旦取り外されて、再度取っ手装着穴（１４０４）に装着することで、梱包箱を折り畳んだ後に片手で持ち運ぶことを可能とする。また、これにより多少の重量がある梱包箱であっても、持ち運びが容易となる。このため、腕力の小さい子供や高齢者であっても容易に運搬、廃棄を行うことができるようになる。分割後のそれぞれの梱包箱に取っ手を装着するために、予備の取っ手を商品と共に梱包箱に予め梱包しておいても良い。また、図１４（ｃ）に示すように、分割補助線部にて梱包箱を分割せずに折曲補助線にて梱包箱を折り曲げた状態で、梱包箱全体を一体として運ぶための一組の取っ手装着穴（１４０６）が外側面に現れるようにしても良い。例えば、図１４（ａ）に示す梱包箱の２つの取っ手装着穴（１４０４）が配置された面に対向する面（図示せず）に上記梱包箱全体を一体として運ぶための一組の取っ手装着穴（１４０６）を配置しておけば、梱包箱を処理する者は、分割した状態又は分割しない状態のいずれの状態で取っ手装着穴を利用するか選択することができる。【００６４】
図１１に記載したような方法にて梱包箱が折り畳み可能であるとすると、折曲補助線が配置されている面に隣接するいずれかの面に取っ手装着穴を配置することで、梱包箱の折り畳み後に取っ手装着穴が外側面に現れるように配置することができる。【００６５】
（実施形態６の効果）本実施形態の梱包箱によると、製品取り出し後の大型の梱包箱をより簡単にコンパクトにすることが可能となり、後刻の再梱包のための一時的な保管時の省スペース化、または該梱包箱廃棄時の折り畳み作業を容易で確実なものとすることにより、廃棄物のコンパクト化、廃棄物の運搬作業の容易化、廃棄物の流通過程における取り扱いの効率化を図り資源再利用を促進し地球環境の保全に資することが出来る。さらに、取っ手装着穴を有することで、梱包箱に製品を収納した状態で運搬するために利用する取っ手を、コンパクト化した梱包箱の運搬にも利用することができる。このため、腕力の小さい子供や高齢者であっても容易に使用後の梱包箱の運搬、廃棄を行うことができるようになる。【００６６】
≪実施形態７≫（実施形態７の概念）本実施形態の梱包箱は実施形態４に記載の梱包箱を基本とし、さらに、梱包箱の折り畳み後に視認可能な位置に収納していた商品名等の情報表示を配置したことを特長とする。【００６７】
（実施形態７の構成）図１５（ａ）に本実施形態の梱包箱（１５００）を例示する。該梱包箱（１５００）は、コンパクト化を目的として自身を輪切り分割するための分割補助線部（１５０２）と、コンパクト化を目的として自身を折り畳むための折曲補助線（１５０３）を構成部材（１５０１）に有し、さらに、分割して折り畳んだ後のそれぞれの梱包箱の視認可能な位置に少なくとも一以上の情報表示（１５０４）を配置していることを特長とする。なお、構成部材、分割補助線部、折曲補助線の構成は実施形態１または４と同様であるため説明を省略する。【００６８】
（実施形態７の構成の説明）「情報表示」（１５０４）とは、構成部材に収納していた商品の商品名、梱包箱の材質、梱包箱の廃棄方法の説明、梱包箱のリサイクル方法の説明等である。本実施形態の構成部材には、該情報表示のうち少なくとも一以上が配置されている。情報表示は、図１５（ａ）に示すような素材等を示すマークや、廃棄方法などが直接的に記されていても良いし、これらの情報をバーコードや、二次元コードとして記されていても良いし、微細なＲＦタグなどが埋め込まれていても良い。図１５（ｂ）に示すように、図１５（ａ）の梱包箱を分割補助線部にて分割した後、折曲補助線により折り曲げると、梱包箱をコンパクトに折り畳むことができる。この状態において、分割した梱包箱の双方の外側面に現れる位置に情報表示を配置する。【００６９】
情報表示が外側面に現れることで、分割して折り畳んだ後の梱包箱の小片のそれぞれが、元々はどのような商品が収納されていた梱包箱であるか、該小片そのものがどのような材質であるか、該小片そのものをどのように廃棄したらよいか、該小片そのものをどのようにリサイクルしたらよいか、といった情報を容易に取得することができる。取扱者は、廃棄方法やリサイクル方法に関する情報を取得することで、コンパクト化した後の梱包箱の処理方法を容易に知ることができる。また、廃棄方法やリサイクル方法が明記されていない場合であっても、少なくとも商品名に関する情報が得られれば、その商品に添付された取り扱い説明書や、その商品の販売元の企業に問い合わせることで廃棄方法等を知ることもできるし、材質に関する情報が得られれば、梱包箱を廃棄する行政区画の役所等に問い合わせることで、廃棄方法等を知ることができる。【００７０】
さらに、バーコード等が情報表示として記されている場合には、物流システムと同様のシステムを構成することで、収集した梱包箱を折り畳んだ状態で、容易にそのリサイクル方法等を読み取ることができ、より効率的に分別収集等を行うことも可能である。【００７１】
（実施形態７の効果）本実施形態の梱包箱によると、製品取り出し後の大型の梱包箱をより簡単にコンパクトにすることが可能となり、後刻の再梱包のための一時的な保管時の省スペース化、または該梱包箱廃棄時の折り畳み作業を容易で確実なものとすることにより、廃棄物のコンパクト化、廃棄物の運搬作業の容易化、廃棄物の流通過程における取り扱いの効率化を図り資源再利用を促進し地球環境の保全に資することが出来る。さらに、梱包箱に関する情報がコンパクト化した後の梱包箱の外側面に現れているため、該梱包箱廃棄時の廃棄処理を容易かつ確実に行うことができる。【００７２】
≪実施形態８≫（実施形態８の概念）本実施形態の梱包箱は実施形態１に記載の梱包箱を基本とし、分割補助線部は、分割後の構成部材を分別可能となるように配置されていることを特長とする。【００７３】
（実施形態８の構成）図１６（ａ）に本実施形態の梱包箱（１６００）を例示する。該梱包箱（１６００）は、コンパクト化を目的として自身を輪切り分割するための分割補助線部（１６０２）を構成部材（１６０１）に有しており、分割補助線部は、構成部材を構成材料毎に分割するように配置されていることを特長とする。なお、分割補助線部の構成は実施形態１と同様であるため説明を省略する。【００７４】
（実施形態８の構成の説明）「分割補助線部」（１６０２）は、実施形態１の分割補助線部を基本とし、さらに、分割により構成部材の構成材料を分別可能となるように構造部材に配置されていることを特長とする。「構成材料」とは、構成部材を構成している材料である。構成材料は、ダンボールや厚紙などの紙を素材とするものや、プラスチックや発泡スチロールなどの樹脂を素材とするものや、金属等を素材とするものなどが該当する。【００７５】
図１６（ａ）では、構成部材の素材が全てダンボールの場合であるが、分割補助線部にて区切られる上部側（１６０１ａ）には印刷部分が多くなっており、下部側（１６０１ｂ）には印刷部分を含んでいない。また分割補助線部にて区切られる上部側（１６０１ａ）には表示用手段として、印刷以外にも前記プラスチックや発泡スチロールなどの樹脂を素材とするものや、金属等を素材とするものなど、様々な素材を含む場合がある。このような位置に分割補助線部を配置した場合、分割補助線部にて構成部材を分割すると、分割された後の小片は、印刷部分や他の装飾部材を多く含む構成材料と印刷部分や他の装飾部材を含まない構成材料に分割することができる。【００７６】
例えばダンボール等の古紙を再生するリサイクル工程では、ダンボールが印刷部分を多く含む場合には、まず、印刷部分の文字インクを溶かす溶剤を用いてインクを溶かす洗浄工程が必要となる。このため、インクが多く含まれている部分と、インクが含まれていない部分とを分割補助線部にて分割することができれば、インクを溶かすための溶剤の使用量を低減することでき、リサイクル工場における排水を環境に優しいものとすることができる。さらに、リサイクル工場では、環境問題に対応するため、工場からの排水を再度きれいな水に変えて、前記洗浄工程用の洗浄水や、冷却工程用の冷却水として水のリサイクルを行っている。このため、工場排水中に含まれる溶剤の使用量を低減することは、環境に優しいリサイクル水の利用効果を高めることにもつながる。【００７７】
また、梱包箱への装飾手段として、ダンボール紙にインクによる印刷ではなく、他の装飾部材（前記プラスチックや発泡スチロールなどの樹脂を素材とするものや、金属等を素材とするものなど）を含む場合が考えられる。これらの装飾部材はダンボール紙のリサイクルにおいては異物に該当し、これらを取り除く工程（クリーナー工程又はスクリーン工程など）が必要となる。本実施形態に示す梱包箱では、装飾部材を含む構成材料と、装飾部材を一切含まない構成部材に分割するように分割補助線部を配置することで、これらを容易に分別することができる。これにより、装飾部材を一切含まない構成部材に関しては上記の異物を取り除く工程を簡略化することができる。このように分割補助線部で梱包箱を分割することにより、分別回収を容易に行い、効率的にリサイクルすることができる。【００７８】
また、分割補助線部で分割される構成部材の一方の構成材料をダンボールとし、分割される構成部材のもう一方の構成材料を樹脂製などである場合には、これらはもともと異なるリサイクル工程が必要であり、これを容易に分別することができる。さらに、図１６（ａ）に示すように折曲補助線（１６０３）を配置して、図１６（ｂ）に示すように分割した梱包箱を折り畳んでコンパクト化した後、分別できるようにしても良い。【００７９】
さらに、実施形態７で記載した発明と組み合わせて、バーコード等により、分割したそれぞれの構成部材の素材（「ダンボールかプラスチックか」など）や、性質（「インクが含まれているか否か」など）を示す情報表示がされていた場合には、分割されている構成部材のバーコードを読み取るだけで、図１６（ｂ）に示すように折り畳んだ後であっても容易に分別することができる。これを物流システムと同様のシステムにて利用することで、確実かつ効率的に分別収集を実現することが可能となる。【００８０】
（実施形態８の効果）本実施形態の梱包箱によると、製品取り出し後の大型の梱包箱をより簡単にコンパクトにすることが可能となり、後刻の再梱包のための一時的な保管時の省スペース化、または該梱包箱廃棄時の折り畳み作業を容易で確実なものとすることにより、廃棄物のコンパクト化、廃棄物の運搬作業の容易化、廃棄物の流通過程における取り扱いの効率化を図り資源再利用を促進し地球環境の保全に資することが出来る。さらに、分割した後の梱包箱の分別収集を確実かつ効率的に行うことができ、リサイクルに適した梱包箱を提供することができる。
【図面の簡単な説明】
【００８１】
【図１】折り畳み可能な梱包箱の外観斜視図
【図２】空の梱包箱の折り畳み手順を説明するための斜視図
【図３】梱包箱を構成するカードボード部材の展開図のうちの短辺フラップ部分の詳細図
【図４】折曲補助線に沿って折り畳まれた梱包箱の斜視図
【図５】図５（ａ）は４側面の内周面にカットテープを巻回した梱包箱を示す斜視図、図５（ｂ）は該梱包箱を構成する部材の展開図
【図６】実施形態１の梱包箱を例示する斜視図
【図７】実施形態１の梱包箱の別の形態を例示する斜視図
【図８】実施形態２の梱包箱を例示する斜視図
【図９】実施形態２の梱包箱の別の形態を例示する斜視図
【図１０】実施形態３の梱包箱を例示する斜視図と分割補助線部の詳細図
【図１１】実施形態４の梱包箱を例示する斜視図
【図１２】実施形態４の梱包箱の別の形態を例示する斜視図
【図１３】実施形態５の梱包箱を例示する斜視図
【図１４】実施形態６の梱包箱を例示する斜視図
【図１５】実施形態７の梱包箱を例示する斜視図
【図１６】実施形態８の梱包箱を例示する斜視図
【符号の説明】
【００８２】
１：  梱包箱
２：  前側面
２ａ：  罫線
３：  後ろ側面
３ａ：  罫線
４：  左側面
５：  右側面
６：  底面
７：  前側長辺フラップ
７ａ：  罫線
８：  後ろ側長辺フラップ
８ａ：  罫線
９：  左側短辺フラップ
９ａ：  第１の罫線
９ｂ：  第２の罫線
１０：  右側短辺フラップ
２１：  梱包箱
２２：  前側面
２２ａ：  罫線
２３：  後ろ側面
２３ａ：  罫線
２４：  左側面
２５：  右側面
２６：  底面
２７：  前側長辺フラップ
２７ａ：  罫線
２８：  後ろ側長辺フラップ
２８ａ：  罫線
２９：  左側短辺フラップ
２９ａ：  第１の罫線
２９ｂ：  第２の罫線
３０：  右側短辺フラップ
３１：  ハンドル取り付け孔
３２：  ハンドル挿通孔
３３：  ハンドル
３３ａ：  把持部
３３ｂ：  係止部
３４：  舌片
３５：  舌片挿嵌孔
３６：  カットテープ把持部
３７：  カットテープ
１１００：梱包箱
１１０１：構成部材
１１０２：分割補助線部
１１０３：折曲補助線
１１０４：フラップ
【図１】
2007049619.tif 000003
【図２】
2007049619.tif 000004
【図３】
2007049619.tif 000005
【図４】
2007049619.tif 000006
【図５】
2007049619.tif 000007
【図６】
2007049619.tif 000008
【図７】
2007049619.tif 000009
【図８】
2007049619.tif 000010
【図９】
2007049619.tif 000011
【図１０】
2007049619.tif 000012
【図１１】
2007049619.tif 000013
【図１２】
2007049619.tif 000014
【図１３】
2007049619.tif 000015
【図１４】
2007049619.tif 000016
【図１５】
2007049619.tif 000017
【図１６】
2007049619.tif 000018
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
コンパクト化を目的として自身を輪切り分割するための分割補助線部と、
コンパクト化を目的として自身を折り畳むための折曲補助線と、
を構成部材に配置した梱包箱。
【請求項２】
分割補助線部は構成部材に複数配置されている請求項１に記載の梱包箱。
【請求項３】
分割補助線部は、カットテープにより構成されている請求項１に記載の梱包箱。
【請求項４】
分割補助線部は、ジッパー構造を有する請求項１に記載の梱包箱。
【請求項５】
分割補助線部は、カットテープにより構成されさらにライナーカット構造を有する請求項１に記載の梱包箱。
【請求項６】
分割補助線部は、カットテープにより構成されさらにジッパー構造を有する請求項１に記載の梱包箱。
【請求項７】
（削除）
【請求項８】
分割補助線部により分割後であって折曲補助線により折り曲げ後に、外側面に現れるように構成部材に把持するための把持穴を配置した請求項１に記載の梱包箱。
【請求項９】
分割補助線部により分割後であって折曲補助線により折り曲げ後に、外側面に現れるように構成部材に取っ手を装着するための取っ手装着穴を配置した請求項１に記載の梱包箱。
【請求項１０】
分割補助線部により分割後であって折曲補助線により折り曲げ後に、外側面に現れるように構成部材に収納していた商品名、自身の材質、自身の廃棄方法の説明、自身のリサイクル方法の説明の少なくとも一以上の情報表示を配置した請求項１に記載の梱包箱。
【請求項１１】
分割補助線部は、分割により構成部材の構成材料を分別可能に構成部材に配置されている請求項１に記載の梱包箱。
【請求項１２】
分割補助線部は、商品の収納口面を横切って配置されている請求項１に記載の梱包箱。
【請求項１３】
コンパクト化を目的として自身を折り畳むための折曲補助線が、分割補助線部と交差するように構成部材に有する請求項１に記載の梱包箱。
【請求項１４】
構成部材は開口部の長辺に長辺フラップを、短辺に短辺フラップを有し、前記短辺フラップは、先端部が幅狭であることを特徴とする請求項１に記載の梱包箱。
【請求項１５】
前記短辺フラップは、自身を折り曲げるための折り曲げ線が形成されていることを特徴とする請求項１４に記載の梱包箱。
【請求項１６】
分割補助線は、少なくとも折曲補助線により折り畳んだ場合に現れる最大の面を分断するように構成部材に配置されていることを特徴とする請求項１に記載の梱包箱。
【国際調査報告】
2007049619.tif 000019
2007049619.tif 000020
2007049619.tif 000021
2007049619.tif 000022
2007049619.tif 000023
2007049619.tif 000024